(57)【特許請求の範囲】
【請求項１】
取付面に取着可能としたベース部材にスライダーを上下動可能に支持し、ブラケット本体を前記スライダーに固定ネジで固定すると、前記スライダーが上下方向に位置決めされた状態で前記ベース部材に固定されることにより、前記ブラケット本体を上下方向に位置調節可能に支持したカーテンレールの取付ブラケットにおいて、
前記ブラケット本体と、前記スライダー及びベース部材の少なくともいずれかには、前記固定ネジの締着操作時に前記ブラケット本体の回転を阻止して、該ブラケット本体の取付方向を所定方向に位置決めする位置決め手段を設け、
前記スライダーには、該スライダーが前記ベース部材の受け部に支持されるとき、前記ベース部材の取付孔の位置に合致する挿通孔を設けたことを特徴とするカーテンレールの取付ブラケット。
【請求項２】
前記位置決め手段は、前記スライダーに突起を設け、ブラケット本体に取着された固定金具には、前記突起に係合可能とした係合孔を設けて構成したことを特徴とする請求項１記載のカーテンレールの取付ブラケット。
【請求項３】
前記位置決め手段は、前記ベース部材に係合して、前記ブラケット本体の回転を阻止するように、前記ブラケット本体の基端面に設けられた凹部としたことを特徴とする請求項１記載のカーテンレールの取付ブラケット。
【請求項４】
前記ベース部材に溝部を形成し、該溝部に前記スライダーを上下方向に移動可能に支持し、前記ベース部材には前記スライダーの落下を防止する受け部を設けたことを特徴とする請求項１乃至３のいずれかに記載のカーテンレールの取付ブラケット。
【発明の詳細な説明】
【０００１】
【発明の属する技術分野】
この発明は、カーテンレールを支持する取付ブラケットに関するものである。
【０００２】
【従来の技術】
従来、カーテンレールを壁面等に固定する取付ブラケットの一種類として、カーテン生地の上下丈に合わせて、その取付位置を上下方向に調節可能としたものがある。
【０００３】
実公昭５５−３６１４６号公報では、溝型材を壁面に取付け、その溝型内でスライダを上下動可能に支持し、そのスライダにブラケットをネジで固定することにより、ブラケットを溝型材に固定可能となっている。
【０００４】
このような構成により、ネジを緩めて、スライダの位置を調節することにより、カーテンレールの取付位置を上下方向に調節可能となっている。
【０００５】
【発明が解決しようとする課題】
上記のような取付ブラケットでは、ブラケットをスライダに取着するためのネジ孔が１個所であるため、その取付作業時にブラケットが回転してしまい、カーテンレールの取付に支障を来すことがある。
【０００６】
この発明の目的は、カーテンの取付高さを上下方向に調節可能としながら、その取付作業時における無用な回転を確実に防止し得るカーテンレールの取付ブラケットを提供することにある。
【０００７】
【課題を解決するための手段】
請求項１では、取付面に取着可能としたベース部材にスライダーを上下動可能に支持し、ブラケット本体を前記スライダーに固定ネジで固定すると、前記スライダーが上下方向に位置決めされた状態で前記ベース部材に固定されることにより、前記ブラケット本体を上下方向に位置調節可能に支持したカーテンレールの取付ブラケットにおいて、前記ブラケット本体と、前記スライダー及びベース部材の少なくともいずれかには、前記固定ネジの締着操作時に前記ブラケット本体の回転を阻止して、該ブラケット本体の取付方向を所定方向に位置決めする位置決め手段を設け、前記スライダーには、該スライダーが前記ベース部材の受け部に支持されるとき、前記ベース部材の取付孔の位置に合致する挿通孔を設けた。
【０００８】
請求項２では、前記位置決め手段は、前記スライダーに突起を設け、ブラケット本体に取着された固定金具には、前記突起に係合可能とした係合孔を設けて構成した。
【０００９】
請求項３では、前記位置決め手段は、前記ベース部材に係合して、前記ブラケット本体の回転を阻止するように、前記ブラケット本体の基端面に設けられた凹部とした。
【００１０】
請求項４では、前記ベース部材に溝部を形成し、該溝部に前記スライダーを上下方向に移動可能に支持し、前記ベース部材には前記スライダーの落下を防止する受け部を設けた。
【００１２】
【発明の実施の形態】
以下、この発明を装飾カーテンレールの取付ブラケットに具体化した一実施の形態を図１〜図３に従って説明する。
【００１３】
木製のブラケット本体１の先端部には、支持孔２が形成され、その支持孔２に装飾カーテンレール３を支持可能となっている。
前記ブラケット本体１の基端面には溝型の凹部４が上下方向に形成され、前記ブラケット本体１の下部には、ブラケット本体１を取付面５に固定するための固定ネジ６を挿通可能とした透孔７が設けられている。
【００１４】
前記凹部４内に取着可能とした固定金具８は、その上下方向中央部にビス孔９が形成され、図２に示すように、そのビス孔９に挿通されるビス１０で凹部４内に固定される。
【００１５】
前記固定金具８の下部には、前記ブラケット本体１の透孔７に対応する位置に前記固定ネジ６を挿通可能とした長孔１１が設けられている。前記固定金具８の上端部は、ブラケット本体１の基端側に直角に折り曲げられるとともにその折り曲げ部に仮止め孔１２が形成されている。
【００１６】
前記固定金具８と同様に、金属板で形成されるベース部材１３には、その左右両側部から前記ブラケット本体１に向かってＬ字状に屈曲される一対の支持片１４が形成されている。そして、両支持片１４は互いに対向して、ベース部材１３の基板部との間に溝部１５が形成されている。
【００１７】
前記ベース部材１３の下端部両側には、前記ブラケット本体１に向かって水平方向に突出する受け部１６が設けられている。また、前記ベース部材１３の上下両端部には、取付孔１７が形成され、図２に示すように、その取付孔１７に挿通されるビス１８で取付面５に固定可能となっている。
【００１８】
前記固定金具及びベース部材１３と同様に、金属板で形成されるスライダー１９は、前記ベース部材１３の長さより長く形成されるとともに、前記ベース部材１３の溝部１５内に挿通可能とした幅に形成される。
【００１９】
また、前記スライダー１９の下部は、前記ベース部材１３の受け部１６間に挿通し得るように幅狭に形成される。従って、スライダー１９を溝部１５内に挿通すると、スライダー１９はその下部を除いて、受け部１６上に支持されるようになっている。
【００２０】
前記スライダー１９の上部には、前記ベース部材１３の取付孔１７と等間隔を隔てて、挿通孔２０が形成されている。前記挿通孔２０は、前記ビス１８をその頭部を含めて挿通可能とした径で形成される。
【００２１】
前記スライダー１９の上端には、前記固定金具８の仮止め孔１２に嵌合可能とした突部２１が形成されている。
前記スライダー１９の下端部には、ネジ孔２２が形成されている。このネジ孔２２と前記突部２１との間隔は、固定金具８の仮止め孔１２と長孔１１との間隔とほぼ等しい間隔で形成される。
【００２２】
さて、上記のように構成された取付ブラケットを壁面等の取付面５に取着するには、あらかじめ固定金具８をブラケット本体１にビス１０によって取着する。次いで、スライダー１９をベース部材１３に挿入し、受け部１６に支持させる。すると、ベース部材１３の取付孔１７が、スライダー１９の挿通孔２０内に露出されるので、図２に示すように、挿通孔２０から取付孔１７を経てビス１８を螺入することにより、ベース部材１３を取付面５に取着する。
【００２３】
次いで、固定金具８の仮止め孔１２に、ベース部材１３に支持されたスライダー１９の突部２１を嵌合させ、ブラケット本体１を仮止めするとともに、ベース部材１３の両支持片１４をブラケット本体１の凹部４内に係合させる。すると、スライダー１９のネジ孔２２が、ブラケット本体１の透孔７及び固定金具８の長孔１１内に露出される状態となる。
【００２４】
そして、固定ネジ６を透孔７から長孔１１を経てネジ孔２２に螺入して締着する。すると、スライダー１９はその弾性によってベース部材１３の両支持部１４の内側面に圧接される状態となり、その摩擦力によりスライダー１９が上下方向に位置決めされた状態で、ベース部材１３に固定される。
【００２５】
また、ブラケット本体１の取付位置を上下方向に調節する場合には、固定ネジ６を緩めて、スライダー１９をベース部材１３に対し上下動可能な状態とし、この状態でブラケット本体１をスライダー１９とともに上下動させて所望高さに調節する。
【００２６】
その状態で、固定ネジ６を再度締着すれば、図３に示すように、ブラケット本体１の高さが調節される。
上記のように構成された取付ブラケットでは、次に示す作用効果を得ることができる。
【００２７】
（１）固定ネジ６を緩め、ブラケット本体１の高さ位置を調節して、再度ネジ６を締着することにより、ブラケット本体１の高さを調節することができる。
（２）ブラケット本体１の上部は固定金具８を介してスライダー１９に係合し、そのスライダー１９はベース部材１３に回動不能に支持されているので、固定ネジ６を締着する時、ブラケット本体１の回転を確実に防止することができる。従って、装飾カーテンレール３の中心線を確実に垂直方向に維持した状態で、ブラケット本体１を取付面５に固定することができる。
【００２８】
（３）固定ネジ６を締着する時、ベース部材１３の両支持片１４がブラケット本体１の凹部４側面に係合しているので、ブラケット本体１の回転を確実に防止することができる。従って、装飾カーテンレール３の中心線を確実に垂直方向に維持した状態で、ブラケット本体１を取付面５に固定することができる。
【００２９】
（４）ベース部材１３には受け部１６を設けたことにより、ブラケット本体１の取付位置を調整するために固定ネジ６を緩めても、スライダー１９及びブラケット本体１の落下を未然に防止することができる。
【００３０】
（５）スライダー１９を溝部１５に入れた状態で、ベース部材１３を壁面に取り付けることができるので、ベース部材１３の上方にスライダー１９の長さ分のスペースが確保できない場合でも、スライダー１９とともに、ベース部材１３を取付面５に取着することができる。
【００３１】
なお、上記実施の形態は、次に示すように変更して構成してもよい。
・ブラケット本体１をスライダー１９に２個所ネジ着することにより、同スライダー１９をベース部材１３に圧接して、固定する構成としてもよい。
・ブラケット本体１をスライダー１９にネジ着して仮止めする構成としてもよい。
・スライダー１９上端部の突部２１及び固定金具８上端部の仮止め孔１２を省略して、スライダー１９にネジ孔２２のみを設けるだけでもよい。この構成によっても、ベース部材１３はブラケット本体１の凹部４によって支持されるため、固定ネジ５の締着操作時に置けるブラケット本体１の回転を阻止することができる。
【００３２】
【発明の効果】
以上詳述したように、この発明はカーテンの取付高さを上下方向に調節可能としながら、その取付作業時における回転を確実に防止し得るカーテンレールの取付ブラケットを提供することができる。
【図面の簡単な説明】
【図１】取付ブラケットを示す分解斜視図である。
【図２】取付ブラケットの使用時を示す断面図である。
【図３】取付ブラケットを位置調節した場合を示す断面図である。
【符号の説明】
１            ブラケット本体
４            位置決め手段（凹部）
６            固定ネジ
１２          位置決め手段（仮止め孔）
１３          ベース部材
１４          位置決め手段（支持片）
１９          スライダー
２１          位置決め手段（突部）
【図１】
0003581636.tif 000002
【図２】
0003581636.tif 000003
【図３】
0003581636.tif 000004